(57)【要約】  アナログ表示電気機械式電波時計（１１）は、特に少数の基準位置の１つ又は唯一の基準位置への指針運動のための長い歯車運動なしで、指針基準位置に迅速に自動的に到達するように設計されている。しかし基準位置への到達の検出は、障害に敏感な多重接触を有する多桁２進コード化角位置センサに関連する装置費や、時針歯車の様々なスポーク幅の小型化しにくい検索なしで行われるようになっている。その代わりに文字盤の時目盛に割当てられた接触弧（３４）が時針歯車（２０）の回転運動によって逐次走査され、それによって時針の現在の時配列に関するおおまかな情報を与える。各時接触弧（３４）に半時間接触弧（３７）が割当てられていれば、半時間の精度で時針位置の識別が行われる。接触弧（３４）を逐次検索するために、接触弧（３４）は時針歯車（２０）とともに回転する共通の接触板（３１）の接触指（３５）及び接触リング（２８）を介して適宜に逐次大地電位に置かれる。接触弧（３４、２７）の電位検索は光バリヤ（５５）によって適宜に行われ、ちょうど時針が新たな半時間に入る時に常に運動機構によって制御される。接触板（３１）はさらに目覚まし用接触指（４０）を装備する。目覚まし用接触指（４０）は目覚まし用接触リング（４１）の上側のスペーサリング（４２）の上で回転するが、所定の角位置でスペーサリング（４２）の進入口（４３）を経て目覚まし用接触リング（４１）と接触し、目覚まし信号を起動する。
2005513447.tif 000002
【特許請求の範囲】
【請求項１】
時針運動と同期して接触弧（３４）の検索が行われる電波時計（１１）において、文字盤の時目盛に割当てられ、１つの円に配置された時接触弧（３４）について、現在どの接触弧（３４）が他のすべての接触弧（３４）と異なる電位を有するか、を検索することを特徴とする電波時計。
【請求項２】
各時接触弧（３４）にこれと同心の円上で半時間接触弧（３７）が割当てられ、半時間接触弧（３７）について、現在他のすべての半時間接触弧（３７）と異なる電位を有するか、を検索することを特徴とする請求項１に記載の電波時計。
【請求項３】
時針歯車（２０）と遊転不能に結合された接触板（３１）から接触弧（３４、３７）に向かって複数の接触指（３５、３８）が出ており、接触板（３１）の別の接触指（２９）によって接触弧（３４、３７）を接触弧（３４、３７）と同心の接触リング（２８）の電位に置くことを特徴とする上記請求項のいずれか１つに記載の電波時計。
【請求項４】
接触リング（２８）が大地電位にあることを特徴とする請求項３に記載の時計仕掛。
【請求項５】
接触板（３１）の中心穴（３２）が、軸方向には摩擦結合により、周方向には確実結合により、時針軸（１３）の外周面に固定されていることを特徴とする請求項３又は４に記載の電波時計。
【請求項６】
光バリヤ（５５）が設けられ、時針歯車（２０）が文字盤上で半時間の始点に相当する位置に回転すると、光バリヤ（５５）が電位検索を起動することを特徴とする上記請求項のいずれか１つに記載の電波時計。
【請求項７】
全体が光学的に透明な材料からなるか又は正反対に相対して配置された２４個の穴（５６）を有する歯車としての時針歯車（２０）及び歯車列でその前に配置され、絞り穴（５７）を有する中間歯車（２１）及び絞り穴（５９）を有する分針歯車（１９）が光バリヤに干渉することを特徴とする請求項６に記載の電波時計。
【請求項８】
光バリヤ（５５）の少なくとも一部、特にその受信器（３９）が接触板（３１）の軸方向下側に配置されていることを特徴とする請求項６又は７に記載の電波時計。
【請求項９】
接触板（３１）が目覚まし用接触指（４０）をも装備し、目覚まし用接触指（４０）がばねの予圧のもとでスペーサリング（４２）の上で回転し、スペーサリング（４２）の調整可能なある角位置でその軸方向進入口を通って目覚まし用接触リング（４１）に当接することを特徴とする上記請求項のいずれか１つに記載の時計仕掛。
【請求項１０】
スペーサリング（４２）の進入口（４３）が急斜した進入端（４４）及びその周囲に相対して、目覚まし接触指（４０）のためのあまり急斜してない脱出傾斜路（４５）を装備することを特徴とする請求項９に記載の時計仕掛。
【請求項１１】
スペーサリング（４２）が半径方向に突出する円周状のリブとして、内歯車（４７）のカラーの内周面に形成され、内歯車（４７）が平歯（４６）によって、目覚まし用指針のための受座（１６）を有する中空ジャーナル（４８）の軸（３０）の周りに回転させられることを特徴とする前記２項のいずれか１つに記載の時計仕掛。
【請求項１２】
内歯車（４７）がスプリングアーム（５０）によって時計ケースに支えられることを特徴とする前記３項のいずれか１つに記載の電波時計。
【請求項１３】
スプリングアーム（５０）がケースに固定された指向性ロッキング装置（５１）に支えられることを特徴とする請求項１２に記載の電波時計。
【発明の詳細な説明】
【技術分野】
【０００１】
発明は請求項１の上位概念に基づく電波時計に関する。
【背景技術】
【０００２】
時針位置の間接的準連続電気機械的検出のために４ビット幅の角コーダを有するこの種の電波時計はＥＰ０２０４８５１Ａ２により周知である。そのためにプリント回路板上で指針軸の軸線と同心の４つの円について、ちょうど今到達した角位置でオーム接触が半径方向に順次存在するか又は存在しないかが、互いに絶縁された４個の曲りばねによって検索される。角位置は接点パターンにより２進コード化されている。これは機構と所要場所に関連して費用かかかり、現在の接触パターンのオーム接触が不確実なため、このような指針位置検索は比較的不正確であり、いずれにしても障害に大変敏感である。
【０００３】
そこで上記の刊行物では、指針の回転−それぞれオーム同期接触で始まる−のつど指針運動用のステップモータの駆動パルスを計数し記憶することによって、指針運動を電子的に表示することも考慮される。しかし現在の計数結果が指針の現在の角位置を正しく再現するのは、ステップモータの電気制御とそれに基づき歯車列によって行われる機械的指針運動との間にスリップがなく、時針歯車のための駆動モータの歯車列にあまり大きな遊びが生じない場合だけである。
【０００４】
そこで時針の回転の過程で幾つかの少数の（代表的には３つの）所定の指針位置への到達を逐次間接的に、即ち歯車機構の回転運動中に時針歯車の種々異なるスポーク幅をもっぱらオプトエレクトロニック的に走査することによって、検出することがＤＥ３５１３９６１Ｃ２により周知である。ところがそのためにかなり複雑なアルゴリズムが必要である。また歯車の遊びが不可避であるにかかわらずスポーク幅を明確に検出するには、幾つかの回転段階を遂行し、そのつど互いにはっきりと区別されるスポーク幅の存在又は終了を改めて検索することが必要であるから、このようなスポーク検索の小型化には明らかに限界がある。
【０００５】
明確に設定された指針位置をちょうど通過する時に同期信号を起動し、この指針位置から再びステップモータの制御パルスを計数に加えるというＤＥ３５１０８６１Ｃ２に記載された解決策は比較的小型である。そのために光バリヤが設けられ、これが時針位置を同じく間接的に、即ちやはり文字盤の背後の時針歯車で検出する。この光バリヤに上記の時針歯車と、歯車列でその前にある、即ちより高速で逆向きに回転する中間歯車が穴あき遮蔽板として干渉する。製造側でわずかな調整費用しか必要でなく、しかも光バリヤの受信器の確実な応答のために広幅の光ビームを通す大きな絞り穴は、遮蔽の隠蔽がごく短時間なため極めて正確な、例えば時針歯車の検索で分単位の精度の応答を保証する。ところが指針の回転中にただ１つの所定の指針位置への到達だけが検索され、しかも通常使用される時計用ステップモータは回転方向の逆転を許さないから、速動で駆動する場合でも、特に操作開始のための偶然的初期位置から構造上設定された指針位置（例えば現在の０２：００位置から１２：００位置）に到達し、次にこの同期位置から指針を現時点の基準位置に回し、電波時計の計時式指針時刻表示の正常な作動を接続するまでに、比較的長い期間が経過する。
【発明の開示】
【発明が解決しようとする課題】
【０００６】
これらの条件の認識のもとで本発明の根底にあるのは、類別を構成する完全な多ビット角位置デコーディングに比して装置と回路技術が複雑でなく、−偶然的初期位置から作動開始後直ちに正確な現在の時針位置を迅速に見出すために−実際の時針運動を事実上持続的に追跡する、上記類別に基づく種類のアナログ電波時計を提供するという課題である。
【課題を解決するための手段】
【０００７】
この課題は本発明に基づき主請求項に示された基本的特徴の組合せによって解決される。それによれば時計の文字盤上の目盛円の時針目盛に割当てられ、通常の１２時文字盤では円弧状に間隔をおいて隣接する１２個の接点からなる接点列が、原則として１つの円に沿って配置される。これと同心に、とりわけその中に配置された別の円に、上記の時接触弧の各々に半時間接触弧が配属され、例えばそれぞれ１時間の第２の半時間にわたって延びている。接触弧は時計の時針と同期して回転するすべり接触ばね、即ち時接触指及び半時間接触指によって走査される。とりわけこれらの接触指はいずれも大地電位にあり、従ってちょうど今到達した角位置で２つの円軌道の一方では時接触弧を、第２の半時間では半時間接触弧を大地電位に置く。解読論理回路が、時接触弧のどれが今まさに大地電位にあるかを絶えず検索し、こうして今表示される時を事実上間断なく検出する。
【０００８】
この事例では角に関連して割当てられた半時間接触弧がまだ大地電位になければ、時計の指針時刻表示は現在の時間の第１の半時間にあり、そうでない場合は第２の半時間にある。こうして時針の現位置が常に時接点により、またその弧長の範囲内で当該の半時間接点により明確に表示され、こうして１２時目盛の文字盤の指針位置が常に半時間ごとに正確に決定される。従って作動開始のために時計仕掛を後続の半時間交替まで回転しさえすればよく、直ちに正確な現指針位置が分かり、この位置から今実際に与えられた時点へ指針を所定の範囲で旋回することができる。
【０００９】
接触弧上で摺動する接触指のオーム接触が重要だとしても、歯車の遊びが不可避なため、半時間交替に対する応答はすでに誤差を伴っている。そこで正確な半時間時刻決定のために所定の時点でだけ、即ち時間を半時間に区切る場合はとりわけ毎時の第１分及び第３０分のそれぞれちょうど初めに接点検索が行われる。この点についてはＤＥ３５１０８６１Ｃ２による光バリヤ検出装置に基づいている。上記の光バリヤによる秒単位の精度の半時間位置検出ができるように、時針歯車は光を通過させるためにとりわけ合計２４個の相対して分布する穴を備え、又は機械的安定性の理由から全体が光透過性で穴なしの材料からなる。光バリヤがちょうど今始まる半時間にまさに入る時だけ分単位の精度で確実に応答するように、歯車列で分針歯車の前に配置され、従ってより高速で逆回転する絞り穴付きの中間歯車が光バリヤに干渉する。秒針歯車及び歯車列でその前に配置され逆回転する絞り穴付き円板としての中間歯車がさらに光バリヤに干渉することにより、半時間位置が秒単位の精度で検出される。
【００１０】
時折見かける時針回転当り２４時目盛の文字盤という特殊な場合は、２つの半径に１２個／２４個の接触弧という上記の接点配列が現指針位置を時単位の精度で確定することは明らかである。上記の光バリヤ機能によれば、指針位置が１時間につき秒単位の精度で検出されるのである。
【００１１】
粗略だが頻繁な、即ち半時間の準連続的指針位置検出のための接点は、時針軸が貫通し、条導体が被着されたプリント回路板の同じ側に形成し又は取り付けることができる。プリント回路板はこの表面上に検出・評価回路及び電波時計回路、この場合特に自律計時回路と受信器、デコーダ、比較器及びモータ制御装置を着持する。モータ制御装置の機能の一部はプロセッサに組込まれている。摺動ばねによるオーム検索という上記の例では、現在の時針角位置でちょうど大地電位にあるのは１個の接点か、２個の接点かを検出・評価回路が確かめることによって、順次続く接触弧を指針位置に応じて検出することが好ましい。その場合は互いに絶縁され、互いに遊転不能な摺動ばねを運動させ、特別の整流子を介して評価回路に接続する必要がないからである。その場合は摺動ばねをすべて接触指として、時針軸によって遊転不能に駆動されるばね弾性導電性材料の１枚の円板から折曲げて張り出し、この接触板を別の指により接触リングを介して常に大地電位に置けば十分である。また常時共通の大地電位は、電位に関連して遮蔽されるため電気的にすこぶる障害の少ない接点検索という利点をもたらす。それによって円弧状に延びる接点の半径の範囲内で、大地電位にある接触板と回路板の間に電気的にすこぶるよく遮蔽されたスペースがあり、その中で光バリヤのための例えば二又状光バリヤとして設計されたオプトエレクトロニック検出器の光学式受信器が、接点検索の周期的起動のための指針機構の歯車列に適宜に配置されているので、その機能が環境の影響に対して極めてよく保護されているからである。
【００１２】
時針とともに回転する中心接触板からさらに別の接触指がプリント回路板に、即ち連続する接触リングに向かって張出すことが可能であり、その場合は目覚まし信号の発信が行われる。この接触指自体はスペーサリングによって目覚まし用接触リングに対し電気的に絶縁されていることが好ましい。スペーサリングは特定の指針角位置（即ち文字盤上の時刻）にギャップを有し、当該の指針位置で接触指がこのギャップを貫いて目覚まし用接触リングの上に落下して接触する。この目覚まし信号の発信のために機構の歯車を１つも軸方向に動かさないでよい。スペーサリングは指針軸の軸線の周りに回転可能であり、従ってある時刻に合わせて進入ギャップを手操作で調整することができる。この時刻で目覚まし用接触指が進入口の駆上がり傾斜路を経て再び目覚まし用接触リングから離脱した時、スペーサリングは摩擦により回転運動を阻止されており、目覚まし用接触指は時針の１回転の後に再び進入口に到達するまで、引続き時針と同期してスペーサリング上で回転させられる。
【００１３】
プリント回路板（又は目覚まし用スペーサリング）に弾支された接触板の接触指を回転運動中に傾斜せずに案内するために、上記の接触指群を何回も、例えば１２０°又は１８０°ずつ食違いに形成して、対称に力を配分することができる。これによって接触板へ、また接触板を介して時針軸への転倒モーメントが回避される。
【００１４】
発明の補足的改良及び変更並びにその他の特徴と利点は、その他の請求項だけでなく、主要な部分に限ってほぼ寸法どおりに図面に略示した本発明の解決策の好ましい実施例の下記の説明からも明らかである。
【発明を実施するための最良の形態】
【００１５】
略示した電気機械式電波時計１１はアナログ時間表示のために、文字盤の支持体の役割をするケース前部１２の前で中空の時針軸１３、時針軸の中に回転可能に保持された同じく中空の分針軸１４及び中心の秒針軸１５の自由な正面端に指針（図示せず）の緊定のための指針受座１６をそれぞれ装備する。但し時針及び分針歯車中空軸１３、１４は秒針軸１５によってではなく、ケースに固定した受け板１８の上にあって秒針軸を取り囲む支持管１７によって定心される。
【００１６】
分針軸１４と遊転不能に結合された分針歯車１９は指針受座１６の軸方向反対側で受け板１８に支えられ、また時針軸１４と遊転不能に結合された時針歯車２０を同軸に担持する。両者は中間歯車２１によって互いに伝動結合される。中間歯車２１は分針歯車１９のピニオン２２によって駆動され、またピニオン２３により回転方向を逆転し、減速して時針歯車２０を駆動する。そのために中間歯車２１は受け板１８とケースに固設したプリント回路板２５との間でジャーナル２４に支承される。秒針歯車２６の駆動のための電磁式ステップモータ及び別の中間歯車（ステップモータと秒針歯車２６の間及び秒針歯車２６と分針歯車１９の間）も横向きに働く光バリヤ一式５５も図示の断面図では分からない。
【００１７】
プリント回路板２５は受け板１８の反対側の、即ちケース前部１２に面した表面２７に、特別に被着され又は条導体層の適当な経過によって形成され、時針軸１３を同心に取り囲む接触リング２８を着持する。曲りばねとして形成された接触指２９の自由な正面端がばね予圧のもとで接触リング２８に支えられる。接触指２９はねじり剛性を有し、時針軸１３によって機構１１の中心軸３０の周りに回転させられる。接触指２９はばね用金属材を押抜いた接触板３１から折り曲げられて張り出す。接触板３１の中心穴３２はその接触指２９がばね予圧のもとでプリント回路板２５の接触リング２８に弾支されるまで、指針受座１６からすべり摩擦とともに時針軸１３に差し込まれる。その結果接触板３１の中心穴３２の周囲の僅かな凹曲、またそれによって時針軸１３の外周面への固着が生じる。時針軸１３に対する接触板３１の回り止めとして、時針軸１３の外周面の軸平行なリブ３３が中心穴３２の半径方向拡張部を貫通する。
【００１８】
文字盤目盛円の時目盛に従って、即ち規則的に１２個の時接触弧３４が、プリント回路板２５の表面上で互いに絶縁されて、接触リング２８と同心の円に沿って延びている。図面で明らかなように、同じく接触板３１から折り曲げられて張出した時接触指３５が、時接触弧３４の上を時針運動即ち時針軸１３と同期して回転する。こうして２つの接触指２９−３５及びこれらに共通の接触板３１によって常に時針歯車２０の現在の回転角位置、即ち文字盤の前の現在の指針角位置に該当する時接触弧３４が接触リング２８と短絡させられる。この場合どの接触弧３４がちょうど該当するかは、プリント回路板２５上で接触弧３４に接続された評価回路３６によって決定され、こうして現在の指針位置が検出される。プリント回路板の表面２７の条導体層を介して接触リング２８を大地電位に接続することによって、ちょうど今接触した時接触弧３４を接触板３１及び接触リング２８を経て接地することが好ましい。
【００１９】
時針の現在の角位置のより正確な検出のために、機構の軸３０と同心の別の円では各時接触弧３４に、即ち明らかに各時接触弧３４の後半に、半時間接触弧３７が配属されている。半時間接触弧３７は時針歯車２０の回転の過程で、接触板３１から突出する別の接触指３８が逐次接触し、図示の例では同じく接触板３１と接触リング２８により逐次接地される。半時間接触弧３７にも接続する評価回路３６はこうして今働く大地電位により、時針が今どの時間範囲を指示するかだけでなく、この現在の時の前半が依然として取り上げられているか、あるいは−その間に当該の半時間接触弧３７も大地電位に置かれたため−すでにその後半が取り上げられているかも検出する。こうして時針がちょうどどの時間区間にあるか、これと伝動結合された分針がちょうどどの半時間区間にあるかが、評価回路３６にはいつでも識別可能である。このことは、例えばこの電波時計１１の作動開始時に事実上即座に、いずれにせよ長い歯車運動なしで、現在の指針位置が半時間ごとに正確に分かることを意味する。そこで次の半時間区間に交替することによって、次の時接触弧３４だけ、又はさらに次の半時間接触弧３７が大地電位に置かれるから、長い補足的指針運動なしで正確な指針位置が分かる。２つの順次続く時接触弧３４−３４の間の不電導性の間隙は、間隙の弧長が時接触指３５の接触面の弧長以下であることによって、両者が同時に大地電位にないこと、即ち時間の解読が不明瞭にならないことを保証する。
【００２０】
オーム接触の不確実と歯車の遊びは、接触電位の大地電位への低下の際に原則として再現性のない応答エラーをもたらすが、半時間交替を正確に検出するために、新たな半時間区間に入る時に指針運動が光バリヤ５５の光路を開放するならば、解読のための検索が常に正確に行われる。このことを図２に時針の当該の角位置の小さな円１０１で表示した。しかしこの瞬間に上記のスイッチ操作の不確実の影響−歯車の遊び及び例えば接触弧３４又は３７の端縁に到達した時の衝突現象による−がなく、準定常的な電位状態が成立するように、図面で接触弧３４、３７を逆時計回り方向に延長することによって考慮したように、各接触弧３４及び３７は文字盤上ですでに半時間交替の前に始まる。こうして論理的半時間解読のために問題の接触弧を評価回路が検索する時に、大地電位への電位低下がすでに確実かつ定常的に起こっている。
【００２１】
こうして接点の交替の際に接触指３８又は２９の応答精度に関係なくこの半時間交替を検出するために、二又形又は図１に略示するように反射式光バリヤ５５が設けられている。少なくともその受信器３９を、常に大地電位にある接触板３１の軸方向下側でプリント回路板２５に記号で示すように配置したことは、電気的によく遮蔽される利点がある。正確に半時間交替の時に光バリヤ受信器３９が応答するために、−冒頭で述べたＤＥ３５１０８６１Ｃ２で詳しく説明されているように−光バリヤが中間歯車２１の穴５７及びそのピニオン２２によって駆動される光学的に透明な又は２４個の穴５６を備えた時針歯車２０を貫いて延びていることが利用される。
【００２２】
接触板３１を傾斜せずにプリント回路板２５に押し付けさせるために、実際に接触指２９、３５、３８は簡単に略示した図面と異なり、すべてが接触板３１の同じ半径に沿っているのではなく、角度に関して食違いになっている。
【００２３】
接触板３１は時針歯車２０、即ち文字盤の前の時針と同期して回転するから、接触板３１にさらに別の目覚まし起動用接触指４０を形成することが好ましい。しかし接触指４０が計時回転の過程でプリント回路板表面２７の目覚まし用接触リング４１の上に常時接触して支えられないように、両者の間に電気的に絶縁されたスペーサリング４２がある。スペーサリング４２はライニングにより又は間隔を置くことによって目覚まし用接触リング４１に対して絶縁されているならば、導電性であってもよい。スペーサリング４２は周囲の１個所にだけ、目覚まし用接触リング４１の軸方向上側に目覚まし用接触指４０の通過のための半径方向進入口４３を有する。こうして時針歯車２０による計時運動の過程で目覚まし用接触指４０がこの角位置に到達すると、接触指４０は目覚まし用接触リング４１に軸平行に当接するまで、急斜した進入端４４に沿って進入口４３をパチンと音をたてて貫通する。それによって目覚まし用接触リング４１は接触板３１及び接触リング２８を介して接地されるから、評価回路３６によって目覚まし信号が起動され放出される。進入端４４に比して比較的ゆるやかに立ち上がる脱出傾斜路４５によって、目覚まし用接触指４０は時針歯車２０が引続き回転する過程で、再びスペーサリング４２の上に持ち上げられ、こうして時針の１回転の後に再び進入が行われるまで、目覚まし用接触リング４１から引き離される。
【００２４】
スペーサリング４２の進入口４３はそれ自体ケースに固定されており、従って時針歯車２０及び目覚まし用接触指４０の回転運動に対して遊転不能に保持される。しかしスペーサリング４２の進入口４３の角位置は平歯４６により手操作で調整できるから、目覚まし信号の発信時期を可変的に設定することができる。そのためにスペーサリング４２は図面の横断面図で明らかなように、半径方向に張出す円周状のフランジとして内歯車７の内周面に形成されている。内歯車４７は半径方向にはセンターウエブ４９から突出する中空ジャーナル４８（その自由な正面端に目覚まし用針のための針受座１６が形成されている）によりケース前部１２で時針軸１３に、軸方向にはケース前部１２とプリント回路板２５の間に支承される。平歯２６によって設定されたスペーサリング４２の進入口４３を−その上に支えられた回転する目覚まし用接触指４０の回転に抗して−ロックするために、ケース前部１２と平行に差向けられたセンターウエブ４９からスプリングアーム５０が出ている。スプリングアーム５０の自由な正面端は摩擦面の役割をするケース前部１２の内面に弾支される。目覚まし用接触指４０に対して進入口４３を、急斜した進入端４４に向かってではなく、もっぱら脱出傾斜路４５を通って回転させることができるように、指向性ロッキング装置５１として働くつめ係合部を、図面で示唆したようにここに形成することができる。それによって同時に、スペーサリング４２の回転が目覚まし用接触指４０により時針歯車２０の共転、即ち文字盤の前の時針の誤表示を生じないことが保証される。
【００２５】
いずれにしても本発明に基づく解決策によって、多数の指針基準位置の１つに迅速に自動的に到達し、特に少数の基準位置の１つ又は単一の基準位置への指針運動のために長い歯車運動を必要としないように、アナログ表示電気機械式電波時計１１を設計することができる。他方では基準位置への到達の検出は、障害に敏感な多重接触を有する多桁２進コード化角位置センサのための装置費や時針歯車の様々なスポーク幅の小型化しにくい検索なしで行われる。その代わりにこの場合は文字盤上の時目盛に割当てられた１２個の接触弧３４が時針２０の回転運動によって順次走査される。これは時針の現在の時間合わせに関するおおまかな情報をもたらす。その間に別の接触弧３７によって現在の半時間が検索される。各半時間の初めの検索の瞬時は、指針機構の歯車装置のセンサ−特に光バリヤ−によって極めて正確に設定される。接触弧３４及び３７を逐次検索するために、これらの接触弧は時針歯車２０とともに回転する共通の接触板３１の接触指３５又は３８及び接触リング２８によって逐次大地電位に置かれる。接触板３１はさらに目覚まし用接触指４０を装備することができる。目覚まし用接触指４０は目覚まし用接触リング４１の上側のスペーサリング４２の上で回転するが、所定の角位置でスペーサリング４２の、半径方向に向いたスリット状の進入口４３を通り、目覚まし用接触リング４１に接触して目覚まし信号を起動する。そのために指針を担持する歯車のいずれか１つを指針機構から軸方向に変位させる必要はない。
【図面の簡単な説明】
【００２６】
【図１】本発明に基づく時針角位置検索及びこれに組込まれた補助目覚まし信号スイッチを有するアナログ表示電気機械式電波時計の歯車の切欠いた軸方向縦断面図である。
【図２】図１の時針位置の半時間検索のための機能表示型接点パターンの図である。
【符号の説明】
【００２７】
１１  電波時計
１２  ケース前部
１３  時針軸
１４  分針軸
１５  秒針軸
１６  指針受座
１７  支持管
１８  受け板
１９  分針歯車
２０  時針歯車
２１  中間歯車
２２  ピニオン
２３  ピニオン
２４  ジャーナル
２５  プリント回路板
２６  秒針歯車
２７  表面
２８  接触リング
２９  接触指
３０  軸
３１  接触板
３２  穴
３３  リブ
３４  時接触弧
３５  時接触指
３６  評価回路
３７  半時間接触弧
３８  接触指（半時間）
３９  受信器（光学式）
４０  接触指
４１  目覚まし用接触リング
４２  スペーサリング
４３  進入口
４４  進入端
４５  脱出傾斜路
４６  平歯
４７  内歯車
４８  中空ジャーナル
４９  センターウエブ
５０  スプリングアーム
５１  指向性ロッキング装置
５５  光バリヤ
５６  時針歯車の穴
５７  中間歯車の穴
５８  横置き二重プリズム
５９  分針歯車の穴
１０１  円
【図１】
2005513447.tif 000003
【図２】
2005513447.tif 000004
【手続補正書】
【提出日】平成16年7月21日(2004.7.21)
【手続補正１】
【補正対象書類名】特許請求の範囲
【補正対象項目名】請求項１
【補正方法】変更
【補正の内容】
【請求項１】
文字盤の時目盛に割当てられ、１つの円に配置された時接触弧（３４）を時針運動と同期して走査する電波時計において、今走査した時接触弧（３４）が別の所定の電位に置かれ、時接触弧（３４）のすべてについて、どの接触弧が今別の所定の電位を有するかを検索することを特徴とする電波時計。
【国際調査報告】
2005513447.tif 000005
2005513447.tif 000006
2005513447.tif 000007
2005513447.tif 000008
2005513447.tif 000009
2005513447.tif 000010